(57)【要約】【課題】モータの動力を従動側部材に伝達する機構を安価に構成することができるモータアクチュエータを提供すること。【解決手段】モータ１０のロータ１３によって回転する駆動側部材（１３）と、この駆動側部材の少なくとも一部と径方向に対向する従動側部材１４と、駆動側部材と従動側部材１４の対向する部分の間に位置するように駆動側部材および従動側部材１４の一方に保持された摺動部材１５と、を備え、駆動側部材および従動側部材１４の一方に保持された摺動部材１５が駆動側部材および従動側部材１４の他方に押しつけられることによって生ずる摩擦力により、モータ１０の動力を一定の結合力で駆動側部材から従動側部材１４に伝達するように構成されている。【選択図】図５
2013232998.tif 000002
【特許請求の範囲】
【請求項１】
モータのロータによって回転する駆動側部材と、
この駆動側部材の少なくとも一部と径方向に対向する従動側部材と、
前記駆動側部材と前記従動側部材の対向する部分の間に位置するように前記駆動側部材および前記従動側部材の一方に保持された摺動部材と、を備え、
前記駆動側部材および前記従動側部材の一方に保持された前記摺動部材が前記駆動側部材および前記従動側部材の他方に押しつけられることによって生ずる摩擦力により、前記モータの動力を一定の結合力で前記駆動側部材から前記従動側部材に伝達し、この従動側部材に伝達された動力によってクラッチ手段が動作し前記駆動側部材と被駆動体とを繋ぐ動力伝達列を「継」状態とするように構成されていることを特徴とするモータアクチュエータ。
【請求項２】
前記駆動側部材は前記ロータと一体に設けられ、
前記ロータ内に形成された空間に前記従動側部材が配され、この従動側部材が保持する前記摺動部材が前記空間に面する前記ロータの内壁面に押しつけられていることを特徴とする請求項１に記載のモータアクチュエータ。
【請求項３】
前記ロータの内壁面は、ロータマグネットを覆う被覆部材で構成されていることを特徴とする請求項２に記載のモータアクチュエータ。
【請求項４】
前記駆動側部材に伝達された前記モータの動力は、被駆動体である洗濯機の排水弁の駆動に用いられ、
前記摺動部材はステンレス材料によって形成されていることを特徴とする請求項３に記載のモータアクチュエータ。
【請求項５】
前記従動側部材に伝達された前記モータの動力は、動力伝達列によって減速されて前記クラッチ手段まで伝達されることを特徴とする請求項１から請求項４のいずれか一項に記載のモータアクチュエータ。
【発明の詳細な説明】
【技術分野】
【０００１】
本発明は、モータの動力を、ロータによって（ロータと一体に）駆動する駆動側部材だけでなく、駆動側部材とは異なる従動側部材に一定の結合力で伝達する機構を備えたモータアクチュエータに関する。
【背景技術】
【０００２】
この種のモータアクチュエータとして下記特許文献１に記載のものが公知である。このモータアクチュエータでは、ロータ（駆動側部材）の回転は磁気誘導力によって誘導リング（従動側部材）に一定の結合力で伝達される。
【先行技術文献】
【特許文献】
【０００３】
【特許文献１】特開２０１０−２７９１９６号公報
【発明の概要】
【発明が解決しようとする課題】
【０００４】
しかし、上記特許文献１に記載のような磁気誘導力を用いた構成では、高価なマグネット（ネオジムなどを用いるため材料的なコストが嵩むとともに、外側を磁化させるなどの工法的なコストも嵩む）および非磁性体を用いる必要がある。
【０００５】
上記問題に鑑みて、本発明が解決しようとする課題は、モータの動力を従動側部材に伝達する機構を安価に構成することができるモータアクチュエータを提供することにある。
【課題を解決するための手段】
【０００６】
上記課題を解決するために本発明にかかるモータアクチュエータは、モータのロータによって回転する駆動側部材と、この駆動側部材の少なくとも一部と径方向に対向する従動側部材と、前記駆動側部材と前記従動側部材の対向する部分の間に位置するように前記駆動側部材および前記従動側部材の一方に保持された摺動部材と、を備え、前記駆動側部材および前記従動側部材の一方に保持された前記摺動部材が前記駆動側部材および前記従動側部材の他方に押しつけられることによって生ずる摩擦力により、前記モータの動力を一定の結合力で前記駆動側部材から前記従動側部材に伝達し、この従動側部材に伝達された動力によってクラッチ手段が動作し前記駆動側部材と被駆動体とを繋ぐ動力伝達列を「継」状態とするように構成されていることを要旨とするものである。
【０００７】
上記モータアクチュエータによれば、従来のような高価な磁気誘導型の機構を用いずに従動側部材を動作させることができる。また、駆動側部材および従動側部材の他方に押しつけられる摺動部材は駆動側部材と従動側部材に挟み込まれた状態にあるから、当該押しつけられることによる反力を押さえる部材等が不要である。
【０００８】
この場合、前記駆動側部材は前記ロータと一体設けられ、前記ロータ内に形成された空間に前記従動側部材が配され、この従動側部材が保持する前記摺動部材が前記空間に面する前記ロータの内壁面に押しつけられている構成であればよい。
【０００９】
このように駆動側部材がロータと一体に設けられる構成（ロータ＝駆動側部材）である場合、ロータ内に形成された空間に従動側部材およびこの従動側部材に保持される摺動部材が配される構成とすれば、駆動側部材（ロータ）、従動側部材、および摺動部材を配置するためのスペースを小さくすることができる。
【００１０】
また、前記ロータの内壁面は、ロータマグネットを覆う被覆部材で構成されていればよい。
【００１１】
このような構成とすれば、摺動部材が直接マグネットに接触することがないため、摩耗によって生じた磁粉が摺動面に入って摩擦力が変化したり、摩耗によって生じた磁粉がロータの回転を妨げてしまうといった不具合の発生を防止することができる。
【００１２】
また、前記駆動側部材に伝達された前記モータの動力は、被駆動体である洗濯機の排水弁の駆動に用いられ、前記摺動部材はステンレス材料によって形成されていればよい。
【００１３】
モータアクチュエータを洗濯機の排水弁を駆動する装置として用いると、アクチュエータ内に水や水蒸気が浸入する可能性がある。上記構成によれば、このような水の浸入によって摺動部材が腐食し摩擦力が変化してしまうことを防止することができる。
【００１４】
また、前記従動側部材に伝達された前記モータの動力は、動力伝達列によって減速されて前記クラッチ手段まで伝達されるようにすればよい。
【００１５】
このように動力伝達列によって減速される構成であれば、駆動側部材と従動側部材との間の摩擦力を小さく設定できる。
【発明の効果】
【００１６】
本発明にかかるモータアクチュエータによれば、第一歯車の回転軸と第二歯車の回転軸を近接させて配置することができるため、クラッチ手段を動作させるための伝達列（第二伝達列）の配置スペースが小さくなる。
【図面の簡単な説明】
【００１７】
【図１】本実施形態にかかるモータアクチュエータの全体（ケースを取り外した状態）を示した図である。
【図２】モータアクチュエータを伝達列に沿って展開した図である。
【図３】上ケースが取り外された状態のモータアクチュエータの平面図である。
【図４】ロータおよびロータの空間内に収容された回転体の断面を模式的に示した図である。
【図５】ロータおよびロータの空間内に収容された回転体の外観図である（上支持部材を取り外した状態）。
【図６】モータの動力が第二伝達列を通じて第一ロック歯車に作用している状態を示した図である。
【図７】クラッチ手段（遊星歯車機構）を分解して上方から見た図である。
【図８】クラッチ手段（遊星歯車機構）を分解して下方から見た図である。
【発明を実施するための形態】
【００１８】
以下、本発明の実施形態について詳細に説明する。なお、以下の説明における上下とは、図２における左右（上ケース９１側を上、下ケース９２側を下とする）をいうものとする。また、「原位置」とは、モータ１０が駆動していない状態における各構成部材の位置をいう。
【００１９】
本実施形態にかかるモータアクチュエータ１は、駆動源であるモータ１０と、モータ１０の動力を被駆動体９５に伝達する第一伝達列と、第一伝達列による動力の伝達を「継」状態または「断」状態に切り替えるクラッチ手段と、モータ１０の動力を一定の結合力で伝達するトルクリミッタ機構と、このトルクリミッタ機構を介して伝達されるモータ１０の動力をクラッチ手段に伝達する第二伝達列と、第二伝達列を付勢する付勢手段と、を備え、これらの部材（後述するプーリ２６およびワイヤ２７を除く）が上ケース９１および下ケース９２から構成されるケース９０に収容されてなる。以下、図１〜図８を参照して各構成について説明する。
【００２０】
（モータ）
被駆動体９５の駆動源であるモータ１０は、一方向のみ回転するモータである。本実施形態ではＡＣ同期モータを用いている。モータ１０は、磁性体金属よりなり、下側、すなわち下ケース９２側が、平坦な底部を有するカップ状に形成されたモータケース１１と、そのモータケース１１の内側に配置されたステータ１２と、このステータ１２の内側に配置されたロータ１３と、を備える。ロータ１３は、カップ状に形成されフェライト磁石等のプラスチック磁石よりなるロータマグネット部をインサート成形して形成された出力軸１３１を備えている。ロータ１３の円筒状のロータマグネット部は、ステータ１２と対向して配置されている。ロータマグネット部の開口側の端部には、モータ１０の逆回転を防止するロータ側逆回転防止部が形成されており、本実施例では後述する逆回転防止部４２５との当接により、モータ１０の逆回転を防止する。出力軸１３１は、ロータ軸１３０を通す貫通孔を備えた軸部と、ロータマグネット部と軸部を繋ぐ接続部とを有している。出力軸１３１は、接続部より上側に突出しており、軸部とロータマグネット部との円柱状の空間Ｓに、後述する被覆部材１３３と回転体１４が配置される。本実施例では、出力軸１３１の接続部は、ロータ１３の下側で、軸部に対してフランジ状に形成され、軸部の近傍の接続部の上側は平坦な面を有している。ロータ１３を回転可能に軸支するロータ軸１３０は、ステンレス等の金属で形成された固定軸であり、モータケース１１に圧入等によって固定され、上ケース９１に形成されたロータ軸固定部に嵌合している。ステータ１２は、円筒状に形成された、ステータコイル及びボビン、ヨークよりなる。ロータ１３のロータマグネット部との対向面には突極（極歯）が形成されている。この円筒状に形成されたステータ１２の径方向内側にカップ状に形成されたロータ１３が配置されている。ステータ１２のコイルに電力を供給することにより、その内側に配置されたロータ１３がロータ軸を回転中心として回転する。出力軸１３１は、ロータ１３ととともにロータ軸を回転中心として回転する。出力軸１３１の上面には、下係合部１３１１が形成されている。この下係合部１３１１は第一伝達列を構成する上モータ歯車２１の下面に形成された上係合部２１１１に係合する爪である。また、出力軸１３１の軸部には、後述する回転体１４を回転可能に支持する軸受を、出力軸１３１の軸部の外周側にラジアル軸受を二箇所、そして軸部の周囲の接続部の上側の平坦な面にスラスト軸受を備えている。上側のラジアル軸受は、ロータ軸線方向において、後述する下モータ歯車４１と同じ高さの軸部の外周に形成され、上支持部材１４２のラジアル軸受として機能する。下側のラジアル軸受は、接続部の上端面より上側の軸部の外周に形成され、下支持部材１４１のラジアル軸受として機能する。上側のラジアル軸受の外径は、下側のラジアル軸受の外径より小径に形成されており、上側のラジアル軸受と下側のラジアル軸受との間の軸部の外径は、上側のラジアル軸受の外径より小さくしてある。なお、スラスト軸受は、下支持部材１４１のスラスト軸受として機能し、上側のラジアル軸受より上側の軸部に、上側のラジアル軸受より上側の軸部の外径より小径にして形成したステップ状のスラスト軸受としてもよい。
【００２１】
上記円筒状に形成されたステータ１２における軸方向端面の一方側（上側）には支持プレート１２１が設けられている。支持プレート１２１は、ロータ１３が挿入される箇所（中央部分）を覆わないように、ステータ１２の当該端面に合わせて平面視略ドーナツ状（環状）に形成されている。この支持プレート１２１は、下ケース９２の周縁よりも低い位置に配置される。すなわち、下ケース９２の側壁上端縁は支持プレート１２１よりも高い位置に位置する。
【００２２】
支持プレート１２１は、磁性体よりなる金属板をプレス加工することによって形成される。支持プレート１２１には、第一伝達列（上モータ歯車２１、プーリ２６、およびワイヤ２７を除く）および第二伝達列を構成する各動力伝達部材（歯車）を支持する支持軸の下端が圧入される貫通孔が形成される。また、上記ロータ１３が挿入される箇所となる中央の円形の孔は、プレートを構成する板材が切り起こされて形成される。この切り起こされた部分はステータコイルとロータマグネットの間に位置しモータ１０の突極となる。
【００２３】
（第一伝達列）
第一伝達列は、モータ１０の動力を被駆動体９５まで伝達する出力系統を構成する。かかる第一伝達列は、複数の動力伝達部材を有する。詳しくは、上モータ歯車２１と、上モータ歯車２１に噛合する入力側歯車２２と、クラッチ手段が「継」の状態のとき入力側歯車２２の回転に伴って回転する出力側歯車２３と、出力側歯車２３に噛合する複合歯車２４と、複合歯車２４に噛合するカム歯車２５と、カム歯車２５と一体的に回転するプーリ２６と、プーリ２６の回転によって巻き上げられるワイヤ２７と、を有する。このうち、入力側歯車２２と、出力側歯車、複合歯車２４は、ケース９０内部に収容され、支持プレート１２１に圧入固定されたステンレス等の金属で形成された支持軸に回転自在に支持されている。なお、入力側歯車２２および出力側歯車２３は、詳細を後述するクラッチ手段（遊星歯車列に基づく差動歯車機構）を構成する歯車でもある。
【００２４】
上モータ歯車２１は、モータ１０と同軸線上でロータ軸１３０に回転可能かつ軸線方向に移動可能に支持された平歯車で、樹脂により形成されており、後述する下モータ歯車４１の上（出力軸１３１の上端側）に支持されている。上モータ歯車２１の上面には、被ロック突起２１１が一体に成形されている。かかる被ロック突起２１１には、後述する扇形レバー６０の上モータ歯車ロック突起６２が作用する。また、上モータ歯車２１は、下係合部１３１１と上係合部２１１１の間にロータ軸１３０と同軸上に配置されたコイルばねよりなる付勢部材４８で軸線方向上向きに付勢されている。上モータ歯車２１の下面には、下モータ歯車４１と係合する上係合部２１１１が形成されている。なお、付勢部材４８は下係合部１３１１および上係合部２１１１と、ロータ軸１３０の間に位置する。
【００２５】
上モータ歯車２１には、入力側歯車２２が噛合している。入力側歯車２２は、遊星歯車列を構成する一の歯車であっていわゆる太陽歯車である。入力側歯車２２は、相対的に大径の大歯部２２１と相対的に小径の小歯部２２２とを有し、支持プレート１２１に圧入固定されたステンレス等の金属からなる遊星ユニット支持軸２２０に支持されている。入力側歯車２２の大歯部２２１が上モータ歯車２１と噛合しており、上モータ歯車２１の回転に伴って入力側歯車２２が回転する。
【００２６】
モータ１０の動力は上モータ歯車２１を介して、出力側歯車２３に伝達される。出力側歯車２３は、支持プレート１２１に固定された遊星ユニット支持軸２２０に支持されている。出力側歯車２３は、遊星歯車列を構成する歯車である、三つの遊星歯車２３１および遊星支持歯車２３２によって構成される。遊星歯車２３１は、遊星支持歯車２３２の上端面から突出して周方向等間隔に設けられた三つの遊星歯車支持軸にそれぞれが回転自在に支持されている。遊星歯車支持軸の上端には、抜け止めリング２３３が固定され、遊星歯車２３１の脱落が防止されている。遊星支持歯車２３２は、遊星歯車２３１が取り付けられた面とは反対側に歯車部２３２１を有する。遊星歯車２３１は、入力側歯車２２の小歯部２２２と噛合している。詳細は後述するが、クラッチ手段が「継」状態にある場合、入力側歯車２２の回転に伴って遊星歯車２３１は入力側歯車２２の小歯部２２２の周りを公転する。かかる遊星歯車２３１の公転に伴って、遊星歯車２３１を支持している遊星支持歯車２３２が回転する。このようにして、入力側歯車２２から出力側歯車２３へ動力が伝達される。なお、出力側歯車２３、遊星歯車２３１、遊星支持歯車２３２、遊星歯車支持軸は、いずれも樹脂の成形品である。
【００２７】
遊星支持歯車２３２には、樹脂で成形された複合歯車２４が噛合している。詳しくは、複合歯車２４は、上側に相対的に小径の小歯部２４１および下側相対的に大径の大歯部２４２を同軸上に有し、この大歯部２４２が遊星支持歯車２３２の歯車部２３２１と噛合している。これにより、遊星支持歯車２３２の回転に伴って複合歯車２４が回転する。複合歯車２４は、支持プレート１２１に圧入固定されたステンレス等の金属よりなる複合歯車支持軸２４０に支持されている。
【００２８】
複合歯車２４には、カム歯車２５が噛合している。詳しくは、カム歯車２５の歯車部２５１が、複合歯車２４の小歯部２４１に噛合している。これにより、複合歯車２４の回転に伴ってカム歯車２５が回転する。カム歯車２５は、支持プレート１２１に固定されたカム歯車支持軸受２５０に回転可能に支持されている。このカム歯車支持軸受２５０は、ステータ１２のステータコイルが巻かれるボビンと一体に樹脂成型で構成され、プレート１２１に設けられた穴を貫通している。カム歯車２５の外周に歯車部２５１が形成された部分の上端面には、カム溝２５２が形成されている。かかるカム溝２５２には扇形レバー６０の下端面に形成された係合突起６１が係合している。この扇形レバー６０の構成およびその作用については後述する。
【００２９】
カム歯車２５には、プーリ２６が固定されている。カム歯車２５と一体的にプーリ２６が回転するものであれば、その固定方法は特に限定されない。これにより、カム歯車２５の回転に伴ってプーリ２６が回転する。また、プーリ２６は、ケース９０外側に露出している。また、プーリ２６の外周には、ワイヤ溝２６１が形成されている。
【００３０】
プーリ２６には、ワイヤ２７の一端が固定されている。その固定方法は、ワイヤ２７の脱落を確実に防止することができるものであれば特に限定されない。プーリ２６がワイヤ２７を引き込む方向に回転すると、ワイヤ２７はプーリ２６のワイヤ溝２６１にはまり込むように巻き上げられる。ワイヤ２７の他端側には、被駆動体９５（例えば排水口を開閉する弁体）が固定されており、被駆動体９５には、常に原位置（弁体が閉となる位置）に戻ろうとする方向のばねによる付勢力や磁気力等の負荷が作用している。ワイヤ２７がプーリ２６に巻き上げられることによって、被駆動体９５が所定の動作を行う。つまり、ワイヤ２７がプーリ２６に巻き上げられることにより、モータ１０の動力が第一伝達列を介して被駆動体９５まで伝達されることになる。なお、被駆動体９５を正確に動作させるため、ワイヤ２７は伸縮性のない材料で形成されている。なお、プーリ２６とワイヤ２７を、カム歯車２５と同軸上に配置されたカムと、被駆動体９５に連結されたロッドに代えてもよい。カムは、円盤状であり、偏芯位置より上側に突出したロッド係合部を備え、ロッドは、カムのロッド係合部に係合する。カムが所定の方向に回転すると、ロッドは被駆動体９５を引き込む（巻き上げる）方向に動き、被駆動体９５を駆動する。
【００３１】
（クラッチ手段）
クラッチ手段は、第一伝達列による動力の伝達（出力系統）を「継」状態もしくは「断」状態に切り替える役割を果たす。本実施形態におけるクラッチ手段の動作は、入力側歯車２２（太陽歯車）、出力側歯車２３（遊星歯車２３１および遊星支持歯車２３２）、および、固定歯車３１（リング歯車）を有する遊星歯車列に基づく差動歯車機構を利用したものである。
【００３２】
既に説明したように、入力側歯車２２は、上モータ歯車２１に噛合し、上モータ歯車２１の回転に伴って回転する。入力側歯車２２の小歯部２２２には、周方向等間隔に配された三つの遊星歯車２３１が噛合している。遊星歯車２３１は、遊星支持歯車２３２上に支持されている。遊星支持歯車２３２は、遊星歯車２３１の公転に伴って回転する。
【００３３】
遊星歯車列を構成する入力側歯車２２及び遊星歯車支持歯車２３２は、支持プレート１２１に圧入固定されたステンレス等の金属で形成された遊星ユニット支持軸２２０に支持されている。リング歯車である固定歯車３１の中央には太陽歯車である入力側歯車２２の小歯部２２２が貫通する穴が設けられる。固定歯車３１は、外歯部３１１および内歯部３１２を有する。固定歯車３１の外歯部３１１は、入力側歯車２２の大歯部２２１の下側に位置し、後述する第二伝達列を構成する一の歯車であるロック歯車４６と噛合している。つまり、ロック歯車４６の回転が阻止されている場合、固定歯車３１の回転は阻止される。固定歯車３１の内歯部３１２は、三つの遊星歯車２３１と噛合している。
【００３４】
かかる構成を備えるクラッチ手段において、遊星歯車２３１が公転し、遊星支持歯車２３２が回転するか否かは、固定歯車３１の回転が阻止されているか否かによって決まる。固定歯車３１の回転が阻止されている場合、入力側歯車２２が回転すると、固定歯車３１の内歯部３１２が動くことはないから、かかる内歯部３１２に沿って入力側歯車２２の小歯部２２２に噛合する遊星歯車２３１が公転し、遊星支持歯車２３２が回転する。一方、固定歯車３１の回転が阻止されていない場合、入力側歯車２２が回転し、遊星歯車２３１が公転しようとしても、固定歯車３１が空回りするため、遊星支持歯車２３２が回転することはない。
【００３５】
つまり、固定歯車３１の回転が阻止されていれば、第一伝達列が「継」状態となり、固定歯車３１の回転が阻止されていなければ、第一伝達列が「断」状態となる。クラッチ手段によって第一伝達列が「継」状態、すなわち出力系統が「継」状態にあれば、モータ１０の動力は、第一伝達列を介して被駆動体９５まで伝達される。一方、クラッチ手段によって第一伝達列が「断」状態、すなわち出力系統が「断」状態にあれば、モータ１０の動力はクラッチ手段で切断（入力側歯車２２と出力側歯車２３との間で切断）され、被駆動体９５まで伝達されることはない。
【００３６】
この固定歯車３１に作用する部材として、本実施形態におけるクラッチ手段は、さらに、第一ロック歯車３２および第二ロック歯車３３を備える。第一ロック歯車３２は、支持プレート１２１に圧入固定されたステンレス等の金属よりなる第一ロック歯車支持軸３２０に支持されている。第一ロック歯車３２は、外面に径方向外向きに突出した突起（爪）である被ロック部３２１が形成された円板状の部分および円板状の部分より下側に、円板状の部分の外径より小径な第一ロック歯部３２２を有する。第二ロック歯車３３は、支持プレート１２１に圧入固定されたステンレス等の金属よりなる第二ロック歯車支持軸３３０に支持されている。第二ロック歯車３３は、相対的に大径の大径第二ロック歯部３３１および相対的に小径の小径第二ロック歯部３３２を有する。大径第二ロック歯部３３１は、第一ロック歯部３２２に噛合している。小径第二ロック歯部３３２は、遊星歯車列を構成する固定歯車３１の外歯部３１１に噛合している。扇歯車４２のロックレバー４２２（後述）が第一ロック歯車３２の被ロック部３２１に引っ掛かった状態となると、第一ロック歯車３２の回転が阻止される。第一ロック歯車３２の回転が阻止された状態となると、それに噛合する第二ロック歯車３３、およびそれに噛合する固定歯車３１の回転が阻止され、第一伝達列が「継」状態となる。
【００３７】
（トルクリミッタ機構）
トルクリミッタ機構は、ケース９０内に構築されたモータ１０の動力を一定の結合力でロータ１３から回転体１４に伝達する構成である。回転体１４が本発明における従動側部材に相当し、ロータ１３が本発明における駆動側部材に相当する。上述したように、ロータ１３が有するロータマグネット１３２はロータ１３の外周側で円筒状に形成されており、その円筒内の空間Ｓの中央に出力軸１３１が位置する。ロータマグネット１３２の内壁面、すなわち空間Ｓに面する部分は樹脂製の被覆部材１３３で覆われている。本実施形態では、この被覆部材１３３と出力軸１３１は、樹脂で構成され、ロータマグネット１３２とインサート成形によって一体に成形されている。このロータ１３内の空間Ｓには、回転体１４が配置されている。詳しくは、回転体１４は、被覆部材１３３の径方向内側および出力軸１３１の径方向外側で独立して回転自在に支持されている。つまり、回転体１４は、ロータ１３と径方向に対向して配置されている。
【００３８】
回転体１４は、下支持部材１４１、上支持部材１４２、および樹脂ばね１４３を有する。下支持部材１４１および上支持部材１４２は、周方向に切り欠かれた部分が等間隔に形成されたカップ状の部材である。両支持部材を上下方向に噛み合わせると、周方向に貫通した孔が等間隔に存在する円柱状の部材となる。本実施形態では、この下支持部材１４１および上支持部材１４２によって上下方向に挟み込まれることにより、非磁性ステンレス製の球体である摺動部材１５が保持される。また、下支持部材１４１には、この摺動部材１５が保持される位置よりも内側に筒状の樹脂ばね１４３が支持されている。この樹脂ばね１４３は径方向外向きの付勢力を摺動部材１５に与える。樹脂ばね１４３の外面には周方向等間隔に三つの凹部１４３１が形成されており、この凹部１４３１に摺動部材１５が接触している。
【００３９】
摺動部材１５は、両支持部材を上下方向に噛み合わせたときに生ずる上記孔が形成される位置に保持される。樹脂ばね１４３によって径方向外向きに付勢された摺動部材１５は、この孔に嵌り込んだ状態にある。孔に嵌り込んだ摺動部材１５は、その一部が下支持部材１４１および上支持部材１４２で構成される円柱の外周面より外側に突出している。つまり、摺動部材１５は、その径方向外側に位置する部分が、樹脂ばね１４３の付勢力によって押しつけられてロータマグネット１３２を覆う被覆部材１３３に接触した状態にある。摺動部材１５と被覆部材１３３との間には、この接触による摩擦力が生ずる。
【００４０】
したがって、モータ１０が駆動しロータ１３が回転すると、上記摩擦力によって駆動される摺動部材１５がロータ１３とともに回転しようとする。摺動部材１５は回転体１４に保持されているから、ロータ１３とともに回転体１４が回転する。つまり、当該摩擦力によって追従することが可能な範囲において、ロータ１３（駆動側部材）と回転体１４は一緒に回転する。換言すれば、モータ１０の動力はロータ１３から一定の結合力（上記摩擦力を上限とする伝達力）で回転体１４にも伝達されるということである。
【００４１】
（第二伝達列）
第二伝達列は、モータ１０の動力をクラッチ手段まで伝達するクラッチ作動系統を構成する。第二伝達列は、下モータ歯車４１と、下モータ歯車４１に噛合する扇歯車４２と、を備える。第二伝達列は、モータ１０の動力を下モータ歯車４１と扇歯車４２によって減速してクラッチ手段に伝える輪列である。
【００４２】
下モータ歯車４１は、回転体１４（上支持部材１４２）と一体的に形成された平歯車であり、上述した上モータ歯車２１の下（モータ１０の本体側）に設けられ、支持プレート１２１の上端面より上側に位置している。
【００４３】
下モータ歯車４１には、扇歯車４２の扇歯部４２１が噛合している。扇歯車４２は扇歯車支持軸４２０に回転自在に支持されている。扇歯車支持軸４２０は、ステンレス等の金属で形成され、その一端がステータ１２の軸方向端面の一方側（上側）に設けられた支持プレート１２１に圧入固定され、他端が上ケース９１に固定されている。扇歯車４２の扇歯部４２１は１８０度未満の扇状に形成されている。
【００４４】
また、扇歯車４２には、扇歯車支持軸４２０が挿通される軸状部分から径方向外向きに突出し、樹脂よりなるロックレバー４２２が一体に成形されている。このロックレバー４２２は、扇歯部４２１が形成された扇状の部分と上下方向に重ならない位置に形成されている。また、扇歯車４２の回転中心からロックレバー４３２の先端までの長さは、扇歯部４２１のピッチ円半径よりも小さい。この構成によっても下モータ歯車４１の回転を減速する減速機構を構成している。このロックレバー４２２が第一ロック歯車に近づく方向に扇歯車４２が回転すると、ロックレバー４２２が第一ロック歯車３２の外面に形成された被ロック部３２１（後述）に引っ掛かった状態となる。これにより第一ロック歯車３２の回転が阻止される。
【００４５】
また、扇歯車４２には、扇歯車支持軸４２０が挿通される軸状部分から径方向外向きに突出した第一コイルばね引掛部４２３が形成されている。この第一コイルばね引掛部４２３は、扇歯部４２１が形成された扇状の部分およびロックレバー４２２と上下方向に重ならない位置に形成されている。
【００４６】
また、扇歯車４２には、扇歯部４２１の一端側から下方に向けて突出した、逆回転防止部４２５が形成されている。原位置にあるロータ１３が逆転した場合、支持プレート１２１の上端面より上側に延在して形成されたロータマグネットの上端面における周縁部に形成されたロータ側逆回転防止部と、扇歯車４２の逆回転防止部４２５が衝突する。この衝突したときの衝撃によって、逆転したロータ１３の回転は正転に修正される。
【００４７】
（付勢手段）
付勢手段は、クラッチ手段を「断」状態とする方向に第二伝達列を付勢するものである。本実施形態ではコイルばね５０を用いている。コイルばね５０は、一端が扇歯車４２に形成された第一コイルばね引掛部４２３に引っ掛けられ、他端が支持プレート１２１に固定された第二コイルばね引掛部４２４に引っ掛けられている（図３参照）。かかるコイルばね５０により、扇歯車４２はロックレバー４２２が第一ロック歯車３２（被ロック部３２１）から離れる方向に付勢されている。
【００４８】
（その他の構成）
複合歯車２４の上には、扇形レバー６０が配されている。扇形レバー６０は、複合歯車２４が回転自在に支持された軸と同じ複合歯車支持軸２４０に回転自在に支持されている。扇形レバー６０の下面には、係合突起６１が形成されている。かかる係合突起６１は、カム歯車２５の上面に形成されたカム溝２５２に係合している（図１参照）。また、同じく扇形レバー６０の下面からは、上モータ歯車ロック突起６２と図示されない傾斜カムが形成されている。これらの機能は次の通りである。カム溝２５２に係合する係合突起６１によってカム歯車２５の動作に連動して扇形レバー６０が動く。扇形レバー６０が所定位置まで動く（ワイヤ２７を所定位置まで巻き上げる）と、上モータ歯車ロック突起６２が上モータ歯車２１の被ロック突起２１１に作用し、上モータ歯車２１の回転を阻止する。これと同時に傾斜カムによって軸線方向下向きに押さえつけられていた上モータ歯車２１が解放され、付勢部材４８によって軸線方向上向きに移動する。これにより、上モータ歯車２１の上係合部２１１１と、出力軸１３１の下係合部１３１１の係合が解かれる。つまり、モータ１０の動力が上モータ歯車２１に伝達されない状態となる（詳細は後述の動作説明参照）。
【００４９】
（モータアクチュエータの動作）
以上の構成を備えるモータアクチュエータ１の動作について、一部上記説明と重複するが以下詳細に説明する。以下の説明では、原位置にある被駆動体９５に対しモータ１０の動力を伝達する１）動力伝達動作と、モータ１０の動力の伝達を遮断し被駆動体９５を原位置に戻す２）動力遮断動作に分けて説明する。
【００５０】
１）動力伝達動作
被駆動体９５が原位置にある状態（ワイヤ２７がプーリ２６に巻き上げられていない状態、すなわち、モータ１０の動力が被駆動体９５に作用していない状態）からモータ１０を一方向に駆動させ、ロータ１３が回転すると、ロータ１３の出力軸１３１に形成された下係合部１３１１に係合する上係合部２１１１を有する上モータ歯車２１が回転する。また、モータ１０が駆動すると上記トルクリミッタ機構が機能し、回転体１４も回転する。つまり、上モータ歯車２１とともに下モータ歯車４１も回転する。
【００５１】
回転体１４が回転すると、下モータ歯車４１に噛合する扇歯部４２１を有する扇歯車４２が回転する。扇歯車４２は、コイルばね５０の付勢力に抗してロックレバー４２２が第一ロック歯車３２（被ロック部３２１）に近づく方向に回転する。
【００５２】
ロックレバー４２２が第一ロック歯車３２に接触し、被ロック部３２１に引っ掛かった状態となると、第一ロック歯車３２の回転が阻止された状態となる。第一ロック歯車３２の回転が阻止された状態となると、第一ロック歯車３２の第一ロック歯部３２２に噛合するそれに噛合する大径第二ロック歯部３３１を有する第二ロック歯車３３の回転が阻止された状態となるとともに、第二ロック歯車３３の小径第二ロック歯部３３２に噛合する外歯部３１１を有する固定歯車３１の回転が阻止された状態となる。
【００５３】
上述したように、固定歯車３１は、クラッチ手段の遊星歯車列を構成する。したがって、固定歯車３１の回転が阻止された状態となると、クラッチ手段によって第一伝達列による動力の伝達が「継」状態となり、モータ１０の動力が第一伝達列を介して被駆動体９５まで伝達可能な状態となる。
【００５４】
一方、モータ１０の駆動によって下モータ歯車４１とともに回転する上モータ歯車２１は、遊星歯車列を構成する入力側歯車２２（太陽歯車）の大歯部２２１と噛合している。したがって、上モータ歯車２１の回転に伴い、入力側歯車２２が回転する。
【００５５】
入力側歯車２２の小歯部２２２の外側には、出力側歯車２３を構成する三つの遊星歯車２３１が噛合している。周方向に等間隔に並んだ遊星歯車２３１の外側には、固定歯車３１の内歯部３１２が噛合している。上述のように、固定歯車３１は、ロック歯車４６によって回転が阻止された状態にある。したがって、入力側歯車２２が回転すると、その小歯部２２２の周りを遊星歯車２３１が公転する。遊星歯車２３１が公転すると、遊星歯車２３１を支持する遊星支持歯車２３２が回転する。つまり、入力側歯車２２の回転動力が、全て出力側歯車２３に伝達される。
【００５６】
なお、仮に、第一ロック部材３２の回転が阻止された状態にない場合、つまり固定歯車３１の回転が阻止された状態にない場合に入力側歯車２２が回転すると、遊星歯車２３１を介して固定歯車３１が空回りする。遊星支持歯車２３２以降の動力伝達列には、伝達列自体の負荷や、被駆動体９５にかかる負荷が存在するため、入力側歯車２２の回転動力が全て固定歯車３１側に伝達されてしまうからである。なお、固定歯車３１が空回りする回転速度は、第一ロック部材３２に設けられた摺動部材３２３と、上ケース９１に設けられた被摺動部９１１で構成される遠心ブレーキによって抑えられる。摺動部材３２３はゴム等の弾性体で構成され、第一ロック部材３２の回転による遠心力で外周部が外周方向に広がる。外周方向に広がった摺動部材３２３の外周面は被摺動部９１１に当接することで、摺動部材３２３と被摺動部９１１の摩擦力が発生し、この摩擦力によって固定歯車３１が空回りする回転速度が抑えられる。このように本実施形態では、遊星歯車列を利用した差動歯車機構により、クラッチ手段による第一伝達列の「継」状態と「断」状態を切り替えている。
【００５７】
遊星支持歯車２３２の歯車部２３２１には、複合歯車２４の大歯部２４２が噛合している。したがって、遊星支持歯車２３２の回転に伴い、複合歯車２４が回転する。
【００５８】
複合歯車２４の小歯部２４１には、カム歯車２５の歯車部２５１が噛合している。したがって、複合歯車２４の回転に伴い、カム歯車２５が回転する。
【００５９】
カム歯車２５が回転すると、カム歯車２５の上端に固定されたプーリ２６が回転する。プーリ２６が回転すると、プーリ２６に固定されたワイヤ２７がワイヤ溝２６１に沿って巻き上げられる。ワイヤ２７の先端には、被駆動体９５が固定されているため、被駆動体９５はワイヤ２７に引き上げられるように動作する。例えば、被駆動体９５が洗濯機の排水口を開閉する弁体である場合には、ワイヤ２７によって弁体が引き上げられることで排水口が開放され、排水が開始される。
【００６０】
このように、モータ１０の回転動力は、第一伝達列を介して被駆動体９５に伝達される。第一伝達列はクラッチ手段によって「継」状態とされるが、そのクラッチ手段を「継」状態とする動力にもモータ１０の回転動力の一部が利用される。
【００６１】
なお、プーリ２６によるワイヤ２７の巻き上げは次のように停止する。カム歯車２５が所定位置まで回転すると（ワイヤ２７が所定量巻き上げられると）、カム溝２５２に係合する係合突起６１を有する扇形レバー６０がカム歯車２５から離れる方向に回動する。このように扇形レバー６０が回動すると、扇形レバー６０が有する上モータ歯車ロック突起６２が、上モータ歯車２１の被ロック突起２１１に周方向から当接する。これにより、上モータ歯車２１の回転が阻止された状態となる。また、扇形レバー６０の傾斜カムによって軸線方向下向きに押さえつけられていた上モータ歯車２１が解放され、付勢部材４８によって軸線方向上向きに移動する。これにより、上モータ歯車２１の上係合部２１１１と、出力軸１３１の下係合部１３１１の係合が解かれ、モータ１０の動力が上モータ歯車２１に伝達されない状態となる。上モータ歯車２１の回転が阻止されると、第一伝達列を構成する各部材の動作も停止する。すなわち、プーリ２６によるワイヤ２７の巻き上げが停止し、当該巻き上げ位置でプーリ２６が保持された状態（被駆動体９５が洗濯機の排水口を開閉する弁体である場合には、排水口の開放が維持される状態）となる。
【００６２】
このようにして、被駆動体９５に対しモータ１０の動力を伝達する動力伝達動作が完了する。
【００６３】
２）動力遮断動作
上記動力伝達動作が完了した状態から被駆動体９５を原位置に戻す場合、モータ１０の駆動を停止（モータ１０への通電を停止）する。ロータ１３の回転が停止すると、コイルばね５０の付勢力に抗して第一伝達列を「継」状態とする方向にクラッチ手段を動作させていたロータ１３と回転体１４との間の摩擦力による伝達力が消滅する。そうすると、上記摩擦力や第二伝達列を動作させるための負荷をコイルばね５０の付勢力が上回り、ロックレバー４２２が第一ロック歯車３２（被ロック部３２１）から離れる方向に扇歯車４２が回転する。つまり、コイルばね５０の付勢力によって扇歯車４２および下モータ歯車４１（回転体１４）が原位置に戻る方向に回転する。これにより、第一ロック歯車３２の回転が阻止された状態が解消され、クラッチ手段によって第一伝達列が「断」状態となる。
【００６４】
被駆動体９５は、自身に作用する外部負荷により、常に原位置に戻ろうとしている。例えば、被駆動体９５が洗濯機の排水口を開閉する弁体であって、モータアクチュエータ１の駆動により排水口を開放する方向に弁体を動作させる場合には、弁体は常に排水口を閉鎖する方向に付勢されている。したがって、固定歯車３１が自在に回転することができるクラッチ手段が「断」状態となると、被駆動体９５にかかる負荷は、第一伝達列を逆行するようにして出力側歯車２３（遊星支持歯車２３２）まで伝達される。このようにして伝達された被駆動体９５にかかる負荷に基づくエネルギは、クラッチ手段が「断」状態となっているため、出力側歯車２３の空転によって出力（消費）される。これにより、被駆動体９５は原位置に戻る。
【００６５】
さらに、カム歯車２５が原位置に戻ると、カム溝２５２に係合する係合突起６１を有する扇形レバー６０がカム歯車２５に近づく方向に回動する。このように扇形レバー６０が回動すると、扇形レバー６０が有する上モータ歯車ロック突起６２が、上モータ歯車２１の被ロック突起２１１から離れる。これにより、上モータ歯車２１の回転が許容された状態となる。また、コイルばね５０で軸線方向上向きに付勢されていた上モータ歯車２１は、傾斜カムに押さえつけられ、軸線方向下向き移動する。これにより、上モータ歯車２１の上係合部２１１１と、出力軸１３１の下係合部１３１１が係合し、モータ１０の動力が上モータ歯車２１にも伝達される状態となる。
【００６６】
このように、モータ１０を停止すれば、コイルばね５０（付勢手段）の作用によって遊星歯車列を構成する固定歯車３１のロックが解除され、クラッチ手段が第一伝達列を「断」状態とする。これにより、被駆動体９５は原位置に戻る。
【００６７】
（本実施形態の効果）
上記モータアクチュエータは、摺動部材１５を介して駆動側部材（ロータ１３）と回転体１４（従動側部材）との間に生ずる摩擦力により回転体１４を伝達する構成であるため、従来のような高価な磁気誘導型の機構を用いずに回転体１４を動作させることができる。また、駆動側部材（ロータ１３）および回転体１４の他方に押しつけられる摺動部材１５は駆動側部材（ロータ１３）と回転体１４に挟み込まれた状態にあるから、当該押しつけられることによる反力を押さえる部材等が不要である。
【００６８】
また、本実施形態のように駆動側部材がロータ１３と一体に設けられる構成（ロータ１３＝駆動側部材）である場合、ロータ１３内に形成された、ロータマグネットと出力軸１３１とロータの底面で構成される環状の空間Ｓに回転体１４およびこの回転体１４に保持される摺動部材１５が配される構成とすれば、駆動側部材（ロータ１３）、回転体１４、および摺動部材１５を配置するためのスペースを小さくすることができる。
【００６９】
また、ロータ１３の空間Ｓに面する内壁面は、ロータマグネット１３２を覆う被覆部材１３３で構成されているため、摺動部材１５が直接ロータマグネット１３２に接触することがない。よって、摩耗によって生じた磁粉が摺動面に入って摩擦力が変化したり、摩耗によって生じた磁粉がロータ１３の回転を妨げてしまうといった不具合の発生を防止することができる。
【００７０】
また、本実施形態のように洗濯機の排水弁を駆動する装置として用いられるアクチュエータである場合、アクチュエータ内に水が浸入する可能性があるが、本実施形態では摺動部材１５をステンレス製としているため、水の浸入によって摺動部材１５が腐食し摩擦力が変化してしまうことを防止することができる。
【００７１】
また、回転体１４に伝達されたモータ１０の動力は、第二伝達列によって減速されてクラッチ手段まで伝達されるため、駆動側部材（ロータ１３）と回転体１４との間の摩擦力を小さく設定してもクラッチ手段を動作させることが可能である。
【００７２】
以上、本発明の実施の形態について詳細に説明したが、本発明は上記実施の形態に何ら限定されるものではなく、本発明の要旨を逸脱しない範囲で種々の改変が可能である。
【００７３】
例えば、上記実施形態では、駆動側部材はロータ１３と一体に構成されるものであることを説明したが、駆動側部材はロータ１３によって回転するものであればよく、ロータ１３と別に構成してもよい。
【００７４】
また、上記実施形態では、摺動部材１５は回転体１４（従動側部材）に保持されていることを説明したが、ロータ１３（駆動側部材）に保持された構成としてもよい。
【符号の説明】
【００７５】
１  モータアクチュエータ
１０  モータ
１３  ロータ
１３２  ロータマグネット
１３３  被覆部材
１４  誘導回転体
１４３  樹脂ばね
１５  摺動部材
９５  被駆動体
【図１】
2013232998.tif 000003
【図２】
2013232998.tif 000004
【図３】
2013232998.tif 000005
【図４】
2013232998.tif 000006
【図５】
2013232998.tif 000007
【図６】
2013232998.tif 000008
【図７】
2013232998.tif 000009
【図８】
2013232998.tif 000010